(57)【要約】【課題】外観に継ぎ目が現れることがなく、外観の見た目のきれいな再生及び／又は記録装置を提供する。【解決手段】記録媒体の再生を行う再生部と、再生部が取り付けられるシャーシと、シャーシが嵌合される凹陥部を有するケーシングと、を備えた再生装置において、下部ケース１５は、深絞りにより形成された継ぎ目のない筐体として形成され、シャーシ１１は、外面がケーシング４の内面に対応する形状とされ、その外面から突出する部分が無いよう再生部が収納されるように形成した。【選択図】      図８
2004241091.tif 000002
【特許請求の範囲】
【請求項１】
記録媒体の再生及び／又は記録を行う再生及び／又は記録部と、
前記再生及び／又は記録部が取り付けられるシャーシと、
前記シャーシが嵌合される凹陥部を有するケーシングと、を備えた再生及び／又は記録装置において、
前記ケーシングは、深絞りにより形成された継ぎ目のない筐体として形成され、前記シャーシは、外面が前記ケーシングの内面に対応する形状とされ、その外面から突出する部分が無いよう前記再生及び／又は記録部が収納されるように形成したことを特徴とする再生及び／又は記録装置。
【請求項２】
前記ケーシングの凹陥部は、開口側よりも奥側が狭く形成された略断面Ｖ字形状からなり、
前記シャーシは、前記凹陥部の傾斜面と略等しい傾斜面を有する楔形状からなることを特徴とする請求項１記載の再生及び／又は記録装置。
【請求項３】
前記ケーシングの前記凹陥部の底には、前記記録媒体が出し入れされる記録媒体挿入口と、前記記録媒体挿入口を開閉可能なシャッタを設けたことを特徴とする請求項１記載の再生及び／又は記録装置。
【請求項４】
前記シャッタは、前記シャーシの先端部に回動自在に支持されると共に、前記記録媒体挿入口を開く方向へ前記シャッタを付勢するコイルバネを設けたことを特徴とする請求項３記載の再生及び／又は記録装置。
【請求項５】
前記ケーシングには、前記記録媒体挿入口を閉じた状態で前記シャッタをロックするロック手段と、そのロックを解除するロック解除手段を設けたことを特徴とする請求項１記載の再生及び／又は記録装置。
【発明の詳細な説明】
【０００１】
【発明の属する技術分野】
本発明は、記録媒体の再生及び／又は記録を行う再生及び／又は記録装置に関し、特に、深絞りにより成形されたケーシングと、このケーシング内に収納されるシャーシに複数の配線基板が取り付けられた再生及び／又は記録装置に関するものである。
【０００２】
【従来の技術】
従来の、この種の再生及び／又は記録装置としては、例えば、特許文献１に記載されているようなものがある。この特許文献１には、カセットホルダに対する蓋のホップアップ動作による開き角度を大きくし、カセットの取出し性を向上させるようにしたカセット用記録再生装置に関するものが記載されている。
【０００３】
この特許文献１に記載されたカセット用記録再生装置は、浅く絞られた偏平の筐体からなるケース本体に、磁気テープが収納されたカセットを保持するカセットホルダを起伏可能に取付け、このカセットホルダに板バネを固定し、この板バネにカセットを覆う蓋を止着し、カセットホルダに対して蓋を開放方向に弾性偏倚可能に取付けるように構成されている。
【０００４】
また、従来の他の再生及び／又は記録装置としては、例えば、特許文献２に記載されているようなものがある。この特許文献２には、部品点数が少なくて軽量化に適したカセット装着装置に関するものが記載されている。このカセット装着装置は、カセットを受入れて記録再生装置内に引き込むホルダと、カセットを載置するカセット受け台と、ホルダをカセット受け台に固定する、カセット受け台と一体に成形された一対の爪部材を具備することを特徴としている。
【０００５】
【特許文献１】
特開平６−１３１８６２号公報（第２頁、選択図）
【特許文献１】
特開平１１−２０３７５２号公報（第２頁、選択図）
【０００６】
【発明が解決しようとする課題】
しかしながら、上述した先行技術に係る再生及び／又は記録装置においては、いずれの先行技術の場合にも、ケース本体及び蓋体が共に浅い絞り加工によって成形され、そのケース本体と蓋体を重ね合わせることによって１個のケーシングが構成されていたため、ケース本体と蓋体の接合部が直接外観に現れてしまい、外観の見た目を著しく害しているという課題があった。
【０００７】
本発明は、このような先行技術の課題を解決するためになされたものであり、ケーシングを深絞り加工によって成形し、そのケーシング内に再生部や制御部、記憶装置や電源装置その他の装置や機器を収納することにより、外観に継ぎ目が現れることがなく、外観の見た目のきれいな再生及び／又は記録装置を提供することを目的としている。
【０００８】
【課題を解決するための手段】
前記課題を解決し、前記目的を達成するため、本出願の請求項１記載の再生及び／又は記録装置は、記録媒体の再生及び／又は記録を行う再生及び／又は記録部と、再生及び／又は記録部が取り付けられるシャーシと、シャーシが嵌合される凹陥部を有するケーシングと、を備えた再生及び／又は記録装置において、ケーシングは、深絞りにより形成された継ぎ目のない筐体として形成され、シャーシは、外面がケーシングの内面に対応する形状とされ、その外面から突出する部分が無いよう再生及び／又は記録部が収納されるように形成したことを特徴としている。
【０００９】
本出願の請求項２記載の再生及び／又は記録装置は、ケーシングの凹陥部は、開口側よりも奥側が狭く形成された略断面Ｖ字形状からなり、シャーシは、凹陥部の傾斜面と略等しい傾斜面を有する楔形状からなることを特徴としている。
【００１０】
本出願の請求項３記載の再生及び／又は記録装置は、ケーシングの凹陥部の底には、記録媒体が出し入れされる記録媒体挿入口と、記録媒体挿入口を開閉可能なシャッタを設けたことを特徴としている。
【００１１】
本出願の請求項４記載の再生及び／又は記録装置は、シャッタは、シャーシの先端部に回動自在に支持されると共に、記録媒体挿入口を開く方向へシャッタを付勢するコイルバネを設けたことを特徴としている。
【００１２】
本出願の請求項５記載の再生及び／又は記録装置は、ケーシングには、記録媒体挿入口を閉じた状態でシャッタをロックするロック手段と、そのロックを解除するロック解除手段を設けたことを特徴としている。
【００１３】
前述のように構成したことにより、本出願の請求項１記載の再生及び／又は記録装置では、深絞りにより成形されたケーシングに、外面がケーシングの内面に対応され且つ再生及び／又は記録部が取り付けられたシャーシを収納するようにしたため、外観に継ぎ目が現れることがなく、外観の見た目をきれいに処理することができる。
【００１４】
本出願の請求項２記載の再生及び／又は記録装置では、ケーシングの凹陥部及びシャーシの外形を共に略断面Ｖ字状となるように形成することにより、ケーシングに対するシャーシの収納効率を高めスペースの無駄をなくすことができる。
【００１５】
本出願の請求項３記載の再生及び／又は記録装置では、ケーシングの凹陥部の底に記録媒体挿入口を設けることにより、ケーシングの底側から記録媒体の出し入れを行うことができる。
【００１６】
本出願の請求項４記載の再生及び／又は記録装置では、シャーシの先端部にシャッタを回動自在に設けることにより、深絞りにより成形されたケーシングの底に開口された記録媒体挿入口を確実に開閉できると共に、その組立時の作業性を大幅に向上させることができる。
【００１７】
また、本出願の請求項５記載の再生及び／又は記録装置では、シャッタをロックするロック手段と、そのロックを解除するロック解除手段を設けることにより、シャッタの閉鎖及び開放動作を確実に行なうことができる。
【００１８】
【発明の実施の形態】
以下、本発明の実施の例を、添付図面を参照して説明する。図１〜図１９は、本発明の実施の例を示すものである。即ち、図１は本発明の接続装置に接続される電子機器の一実施例を示す斜視図、図２は同正面図、図３は同背面図、図４は同右側面図、図５は同左側面図、図６は同平面図、図７は同底面図、図８は同分解斜視図、図９は図８の要部を拡大して示す説明図、図１０は図６に示す固定部材、操作ツマミ及び操作釦の縦断面図、図１１は操作部の縦断面図である。
【００１９】
また、図１２は下部ケースとシャーシとホールドバンパーを示す斜視図、図１３は同組立状態を示す斜視図、図１４基盤アセンブリを示す斜視図、図１５は下部ケースの記録媒体挿入口を開放した状態の斜視図、図１６はシャッタのアセンブリを示す斜視図、図１７はイジェクト釦の断面図、図１８は下部ケースの記録媒体挿入口をあけて記録媒体を途中まで挿入した状態を示す断面図、図１９は同記録媒体を所定位置まで挿入した状態を示す断面図である。
【００２０】
まず、接続装置に接続される電子機器について説明する。図１〜図１９に示す電子機器は、記録媒体を外付け記憶装置として用いることができる携帯型オーディオプレーヤである。この携帯型オーディオプレーヤ１は、内蔵された記憶装置或いは着脱自在に装着される外部記憶装置に音楽やその他の情報を記録し、その記録された音楽やその他の情報を屋外やその他任意の場所で手軽に聞くことができるようにしたものである。
【００２１】
この携帯型オーディオプレーヤ１は、内蔵されたメインの記憶媒体を有する情報記憶部と、この情報記憶部の再生を行う再生部と、この再生部の動作の切換操作を行う第１の操作部と、再生部のオン・オフの切換操作を行う第２の操作部と、第１の操作部及び第２の操作部での操作に応じて再生部を制御する制御部等を備えて構成されている。
【００２２】
図８に示すように、携帯型オーディオプレーヤ１は、前記情報記憶部と再生部と制御部等が設けられた基板アセンブリ２と、内蔵される電源装置３と、これら基板アセンブリ２及び電源装置３等が収納されるケーシング４と、このケーシング４に取り付けられる第１の操作部５及び第２の操作部６と、イヤホーンのプラグ７が接続されるプラグ接続部８と、ホールドバンパー９等によって構成されている。
【００２３】
基板アセンブリ２は、４面を囲うよう枠状に形成されたシャーシ１１と、このシャーシ１１の内部に保持された複数枚の配線基板１２と、これら配線基板１２に実装されたマイクロコンピュータ、ＲＯＭ，ＲＡＭ等の内蔵記憶装置、入出力装置その他の電子部品と、外部の電子機器と接続するための雌側コネクタ１３等から構成されている。シャーシ１１の内側には、電子部品が実装された各配線基板１２間に適当な隙間を設定して配置することにより電源装置３を収納するための電源収納部４８と、着脱自在に装着される外部記憶装置を収納するための記憶装置収納部４９とが設けられている（図１８，図１９を参照）。
【００２４】
電源装置３は、シャーシ１１内の電源収納部に対して着脱可能に収納できる形状とされていて、この実施例では薄い直方体とされている。この電源装置３としては、例えば、充電式のニッケル水素電池が好適であるが、他の二次電池を使用できることは勿論のこと、一次電池を用いることもできる。
【００２５】
ケーシング４は、基板アセンブリ２が着脱可能に収納される下部ケース１５と、この下部ケース１５の上面に開口された開口部を閉じる上部ケース１６とから構成されている。下部ケース１５及び上部ケース１６は絞り加工によって成形されていて、特に下部ケース１５は、横方向及び奥行き方向の寸法よりも高さ方向の寸法を十分に長くした、いわゆる深絞りにより成形されている。
【００２６】
下部ケース１５及び上部ケース１６の材質としては、チタン合金が好適である。しかしながら、ステンレス鋼その他の金属を用いることができることは勿論のこと、金属以外のエンジニアリングプラスチックその他の材料を用いることもできる。このケーシング４は人の手に触れる機会が多いため、その材質としてチタン合金を用いることにより、一般的な金属が接触することによる皮膚の炎症等を防止することができ、人に優しい電子機器を提供することができる。
【００２７】
図１５等に示すように、下部ケース１５は、断面形状が略Ｕ字状をなす上面が開口された筐体からなり、横方向の寸法は同一であるが、円弧状に形成された底部の奥行き寸法よりも上面開口部の奥行き寸法を少々長くして、全体として楔のような形状に形成されている。下部ケース１５の底部には、斜め下方に開口された記録媒体挿入口１７が設けられている。
【００２８】
更に、下部ケース１５の一方の側面部には、基板アセンブリ２に設けられた雌側コネクタ１３が内側に対向されるコネクタ用開口部１５ａが設けられ、その開口部１５ａには格子窓１８が装着されている。また、下部ケース１５の他方の側面部には、イジェクト釦用開口部１５ｂが設けられ、その開口部１５ｂにはイジェクト釦２２が取り付けられている。
【００２９】
イジェクト釦２２は、記録媒体挿入口１７を閉じるシャッタ２０を開放させて外部記憶装置の取り出しを可能とするためのものである。図１６及び図１７等に示すように、イジェクト釦２２は、開口部１５ｂに装着される釦ホルダ２３と、この釦ホルダ２３に押圧自在に保持された釦本体２４と、この釦本体２４を常時外側に付勢するゴム等の弾性体２５と、釦ホルダ２３と下部ケース１５の間をシールするシール部材２６とから構成されている。釦ホルダ２３の中央部には貫通穴２３ａが設けられる一方、釦本体２４の中央部には、外向きの爪部が設けられた一対の係合片２４ａ，２４ａが設けられている。この一対の係合片２４ａ，２４ａを貫通穴２３ａに嵌合させることにより、釦ホルダ２３の抜け止めがなされている。
【００３０】
シャッタ２０は、下部ケース１５の記録媒体挿入口１７の形状に見合う形状とされていて、その外面は、記録媒体挿入口１７を閉じた状態において下部ケース１５の外面と同一面になるよう曲面とされている。このシャッタ２０は、取付部材２８に回動自在に支持されている。シャッタ２０と取付部材２８との間には捩りコイルバネ２９が介在されており、この捩りコイルバネ２９のバネ力によってシャッタ２０が記録媒体挿入口１７を開放する方向に常時付勢されている。
【００３１】
このシャッタ２０は、図１９に示すように、記録媒体挿入口１７を閉じた状態においてイジェクト釦２２によってロックされ、これによりシャッタ２０が、記録媒体挿入口１７を閉じた状態に保持される。この状態から釦本体２４を押圧操作することによってロックが解除され、図１８に示すように、捩りコイルバネ２９のバネ力でシャッタ２０が回動されて記録媒体挿入口１７が開かれる。
【００３２】
シャッタ２０によって開閉される記録媒体挿入口１７から出し入れされる記録媒体としては、例えば、「マジックゲート・メモリースティック・デュオ（商標）」と言われるＩＣ記録メディア３１を適用することができる。このＩＣ記録メディア３１は、従来の「メモリースティック（商標）」に著作権保護技術「マジックゲート」を搭載したもので、「マジックゲート」に対応したＡＶ機器に用いることにより、画像データや音楽・音声データを記録したり、パーソナルコンピュータでデータを記録することができる。
【００３３】
この下部ケース１５の上面開口部を閉じる上部ケース１６は、図１及び図８等に示すように、上方に突出した蒲鉾のようなドーム形をなしており、長手方向の一端に操作部３３が設けられ、長手方向の他端にプラグ接続部８が設けられている。
【００３４】
図９〜図１１に示すように、操作部３３は、第１の位置と第２の位置において、予め内蔵記憶装置や外部記録媒体に記録されている音楽データや音声データを選曲或いは選択することができる第１の操作部５と、再生部に対する電源の供給をオン・オフ切り換える第２の操作部６とから構成されている。更に、上部ケース１６には、制御部により実行されている制御の内容や演奏されている音楽の曲名等を表示する表示部の一具体例を示す液晶ディスプレイ３９が設けられている。
【００３５】
第１の操作部５は、下部ケース１５に固定される固定部材３４と、この固定部材３４に回動自在に支持される操作ツマミ３５と、この操作ツマミ３５に固定される回動部材３６と、操作ツマミ３５を固定部材３４に対して所定位置に保持する捩りコイルバネ３７と、操作ツマミ３５の軸方向への移動に際してクリック感を生じさせるクリック感発生機構３８と、操作ツマミ３５の回動方向を検出する第１及び第２の検出スイッチ４０，４１と、操作ツマミ３５の軸方向への移動を検出する位置検出スイッチ４２から構成されている。
【００３６】
また、第２の操作部６は、操作ツマミ３５に固定されるカバーリング４４と、このカバーリング４４によって操作ツマミ３５から抜け止めされる操作釦４５と、この操作釦４５の中央部に固定される操作軸４６と、この操作軸４６の軸方向への移動によってオン・オフ切り換えられる電源スイッチ４７から構成されている。
【００３７】
図９等に示すように、第１の操作部５の固定部材３４は、同心上に配置された内筒部３４ａ及び外筒部３４ｂと、これらと一体に形成された固定片３４ｃとからなり、固定片３４ｃを取付ネジ８５ａでネジ止めすることによって下部ケース１５に固定されている。固定部材３４の内筒部３４ａ及び外筒部３４ｂに対応して操作ツマミ３５には、同じく同心上に配置された外側筒部３５ａ及び内側筒部３５ｂが設けられている。これらの筒部３５ａ，３５ｂは、組立時において互い違いに噛み合うように径を異にして形成されており、外筒部３４ｂの外側に外側筒部３５ａが配置され、外筒部３４ｂと内筒部３４ａとの間に内側筒部３５ｂが配置されている。
【００３８】
操作ツマミ３５の内側筒部３５ｂの外周面には、軸方向に延びる複数の係合溝８５が設けられており、これらの係合溝８５には回動部材３６に設けた同数の弾性片３６ａが係合され、これによって回動部材３６が操作ツマミ３５と回転方向に一体とされている。回動部材３６は、リング体の一面側に突出された前記複数の回動部材３６のと、他面側に突出された操作舌片３６ｂとを有している。
【００３９】
回動部材３６の操作舌片３６ｂは、第１及び第２の検出スイッチ４０，４１と、位置検出スイッチ４２をオン・オフ動作させるものである。また、回動部材３６の各弾性片３６ａは、係合溝８５に係合された状態で固定部材３４の内筒部３４ａと外筒部３４ｂとの間に介在され、外筒部３４ｂによって撓み変形が阻止されている。これにより、各弾性片３６ａの撓み変形を阻止して回動部材３６が操作ツマミ３５から脱落するのを防止している。
【００４０】
この回動部材３６のリング部と操作ツマミ３５の内側筒部３５ｂとの間に捩りコイルバネ３７のコイル部が介在されている。この捩りコイルバネ３７のバネ力によって操作ツマミ３５が中立位置に保持されている。この捩りコイルバネ３７のバネ力に抗して操作ツマミ３５が、時計方向及び反時計方向に所定角度だけ回動自在とされている。
【００４１】
また、カバーリング４４には複数の弾性片４４ａが設けられている。これら複数の弾性片４４ａを固定部材３４の外筒部３４ｂに設けた係合穴８６に係合することによってカバーリング４４が固定部材３４に一体的に固定される。このカバーリング４４で抜け止めされた操作釦４５の中心部に操作軸４６が圧入等の固着手段によって固定されている。この操作軸４６が貫通する固定部材３４の内筒部３４ａの外周面には、第１の位置を設定する周方向に延びる長溝からなる第１の凹部８７と、第２の位置を設定する周方向に延びる長溝からなる第２の凹部８８が操作軸４６の軸方向へ所定間隔あけて設けられている。
【００４２】
これら第１の凹部８７及び第２の凹部８８に見合う直径を有する鋼球９０が、第１の凹部８７又は第２の凹部８８に対向するように配置されている。鋼球９０は、六面体の一面が開口された筐体９１内に収納されている。筐体９１の、第１の凹部８７及び第２の凹部８８と対向する面には、鋼球９０の直径よりも若干小径とされた穴が開口されており、その穴から鋼球９０の一部が突出され、その突出部が第１の凹部８７及び第２の凹部８８の一方と係脱自在に係合される。
【００４３】
更に、筐体９１の内部には弾性体の一具体例を示す立方体に形成されたゴム状弾性体９２が収納されている。このゴム状弾性体９２の弾性によって鋼球９０が常時第１の凹部８７又は第２の凹部８８側に付勢されている。ゴム状弾性体９２の材質としては、ゴムであってもよく、またゴムと同様の性質を有するプラスチックを用いることができる。更に、ゴム状弾性体９２は、ゴム等に代えて、コイルバネや板バネその他の弾性体を用いることもできる。
【００４４】
このゴム状弾性体９２を保持する筐体９１は、操作ツマミ３５の内面に位置決めされて固定されている。第１の凹部８７及び第２の凹部８８が設けられた第１の位置及び第２の位置において操作ツマミ３５は、円周方向の一方である時計方向及びその反対側である反時計方向に所定角度、即ち、第１の凹部８７及び第２の凹部８８の溝の長さ分だけ回動自在とされている。更に、鋼球９０が第１の凹部８７又は第２の凹部８８と対向する位置においてのみ操作ツマミ３５は、操作軸４６の軸方向へ移動可能とされている。
【００４５】
かくして、第１の操作部５では、操作ツマミ３５を軸方向へ移動することによってケーシング側の第１の位置と、ケーシングから離間された第２の位置を選択的に取ることができる。そして、各位置において操作ツマミ３５は、それぞれ時計方向と反時計方向の２方向に所定角度だけ回動することができる。本実施例では、第１及び第２の各位置において、操作ツマミ３５を一方へ回動することによって次の音楽が選曲され、他方へ回動することによって前の音楽を再び選曲できるように構成されている。
【００４６】
また、第２の操作部６では、操作釦４５を１回押圧することによって電源がオンされ、２回押圧することによって電源がオフされる。更に、操作釦４５を再び押圧することにより、最初に戻って１回目となり、電源がオンされる構成となっている。第１及び第２の検出スイッチ４０，４１は、回動部材３６の操作舌辺６ｂの回動方向両側に分散されて配置されている。そして、電源スイッチ４７は、操作軸４６の端面に対向するように配置されている。
【００４７】
一方、位置検出スイッチ４２は、下部ケース１５内に収納される基板アセンブリ２の配線基板１２に固定されている。この位置検出スイッチ４２は、操作釦４５の押圧操作に基づく操作軸４６の進退動作によってオン・オフされる。
【００４８】
図１２は、上述したような構成を有する下部ケース１５にシャーシ１１を収納すると共に、下部ケース１５の上端開口部にホールドバンパー９を取り付ける状態を説明するものである。また、図１３は、下部ケース１５にシャーシ１１を収納した後、下部ケース１５の上端開口部にホールドバンパー９を装着した状態を説明するものである。
【００４９】
また、プラグ接続部８は、上部ケース１６の内側に固定される固定部材５０と、この固定部材５０に固定されると共にプラグ７の端子部が挿入される中央穴を有する端面カバー５１と、固定部材５０に回動自在に保持されるツマミ部材５２と、このツマミ部材５２を中立位置に保持する捩りコイルバネ５３と、ツマミ部材５２に固定される操作リング５４と、この操作リング５４によってオン・オフ制御される高音側及び低音側のボリュームスイッチ５５，５６と、固定部材５０に設けられたソケット部５７とから構成されている。
【００５０】
このプラグ接続部８に着脱自在に装着されるプラグ７は、ソケット部５７と電気的に接続される端子部６０と、この端子部６０の基部に設けられた把持部６１とからなり、コードによってレシーバ等に接続されている。プラグ７の把持部６１には、絶縁材料で形成されたスリーブ６２が装着され、このスリーブ６２にプラグカバー６３が装着されている。
【００５１】
このプラグ接続部８が取り付けられる上部ケース１６と下部ケース１５との間にはホールドバンパー９が、その接続面が展開される方向にスライド可能に取り付けられている。このホールドバンパー９は、第１の操作部５の第２の位置における再生状態をホールドすることを主な役割とするもので、操作部３３からプラグ接続部８までの全てを囲うことができる大きさの枠体として形成されている。
【００５２】
このような構成を有する携帯型オーディオプレーヤ１は、例えば、次のようにして組み立てることができる。この場合、シャーシ１１に所定の配線基板及び電源装置３を組み立てることにより構成される基板アセンブリ２と、上部ケースに所定の配線基板や液晶ディスプレイ３９及びプラグ接続部８等を組み立てる上部ケースアセンブリと、第１の操作部５と第２の操作部６とからなる操作部アセンブリは、予め独自に組立作業を行ってアセンブリとして構成しておくようにする。
【００５３】
これにより、基板アセンブリ２は、図１４に示すように構成される。この基板アセンブリ２の先端部には、同様にシャッタ２０を組み立てておくようにする。このシャッタ付きの基板アセンブリ２を、下部ケース１５の凹陥部に挿入し、所定の深さまで差し込むことにより下部ケース１５に対して基板アセンブリ２を組み立てることができる。このとき、下部ケース１５の下端部に開口された記憶媒体挿入口１７からシャッタ２０が突出される。
【００５４】
このシャッタ２０を捩りコイルバネ２９のバネ力に抗して回動させて記憶媒体挿入口１７を閉じることにより、シャッタ２０がイジェクト釦２２に設けられたロック機構によってロックされる。このロック機構のロックは、イジェクト釦２２の釦本体２４を押圧操作することによって解除され、捩りコイルバネ２９のバネ力によって記憶媒体挿入口１７が開放される。
【００５５】
このように基板アセンブリ２が収納された下部ケース１５の上面開口部に、まず、第１の固定ネジ９６で操作部アセンブリの固定部材３４を固定する。次に、ホールドバンパー９を下部ケース１５の上に設置し、その上に上部ケース１６を重ね合わせる。そして、第２の固定ネジ９７で上部ケースアセンブリの固定部材５０を固定する。これにより、携帯型オーディオプレーヤ１の組立作業が完了する。
【００５６】
このように組み立てられた携帯型オーディオプレーヤ１の下部ケース１５と上部ケース１６の接合部はホールドバンパー９によって覆われることになり、ケーシング４の大部分が下部ケース１５として外観に現れる。従って、ケーシング４の継ぎ目が外観に現れる体裁の悪さをなくし、外観形状の煩わしさをなくしてスッキリとしたデザインとすることができる。
【００５７】
本発明は、前述しかつ図面に示した実施の形態に限定されるものではなく、その要旨を逸脱しない範囲内で種々の変形実施が可能である。例えば、前記実施例では、記録媒体の情報の再生を専用とした再生装置に適用した例について説明したが、記録媒体の情報の記録を専用とした記録装置に用いることができることは勿論のこと、情報の記録と再生の双方を実行できる記録再生装置に適用できるものである。
【００５８】
【発明の効果】
以上説明したように、本出願の請求項１記載の再生及び／又は記録装置によれば、深絞りにより成形されたケーシングに、外面がケーシングの内面に対応され且つ再生及び／又は記録部が取り付けられたシャーシを収納する構成としたため、外観に継ぎ目が現れることがなく、外観の見た目のきれいな再生及び／又は記録装置を提供できるという効果が得られる。
【００５９】
本出願の請求項２記載の再生及び／又は記録装置によれば、ケーシングの凹陥部及びシャーシの外形を共に略断面Ｖ字状となるように形成する構成としたため、ケーシングに対するシャーシの収納効率を高めスペースの無駄をなくすことができるという効果が得られる。
【００６０】
本出願の請求項３記載の再生及び／又は記録装置によれば、ケーシングの凹陥部の底に記録媒体挿入口を設ける構成としたため、ケーシングの底側から記録媒体の出し入れを行うことができるという効果が得られる。
【００６１】
本出願の請求項４記載の再生及び／又は記録装置によれば、シャーシの先端部にシャッタを回動自在に設ける構成としたため、深絞りにより成形されたケーシングの底に開口された記録媒体挿入口を確実に開閉できると共に、その組立時の作業性を大幅に向上させることができるという効果が得られる。
【００６２】
また、本出願の請求項５記載の再生及び／又は記録装置によれば、シャッタをロックするロック手段と、そのロックを解除するロック解除手段を設ける構成としたため、シャッタの閉鎖及び開放動作を確実に行なうことができるという効果が得られる。
【図面の簡単な説明】
【図１】本発明の接続装置に接続される電子機器の一実施例を示すもので、携帯型オーディオプレーヤを示す斜視図である。
【図２】図１に示す携帯型オーディオプレーヤの正面図である。
【図３】図１に示す携帯型オーディオプレーヤの背面図である。
【図４】図１に示す携帯型オーディオプレーヤの右側面図である。
【図５】図１に示す携帯型オーディオプレーヤの左側面図である。
【図６】図１に示す携帯型オーディオプレーヤの平面図である。
【図７】図１に示す携帯型オーディオプレーヤの底面図である。
【図８】図１に示す携帯型オーディオプレーヤの分解斜視図である。
【図９】図８に示す携帯型オーディオプレーヤの要部を拡大して示す説明図である。
【図１０】図９に示す固定部材、操作ツマミ及び操作釦の縦断面図である。
【図１１】図９に示す携帯型オーディオプレーヤの操作部の縦断面図である。
【図１２】図１に示す携帯型オーディオプレーヤの下部ケースにシャーシ及びホールドバンパーを組み立てる状態を示す説明図である。
【図１３】図１に示す携帯型オーディオプレーヤの下部ケースにシャーシ及びホールドバンパーを組み立てた状態を示す説明図である。
【図１４】図１に示す携帯型オーディオプレーヤの基板アセンブリを示す説明図である。
【図１５】図１に示す携帯型オーディオプレーヤの下部ケースに基板アセンブリを組み立てた状態を示す説明図である。
【図１６】図１に示す携帯型オーディオプレーヤのシャッタ及びイジェクト釦を示す説明図である。
【図１７】図１に示す携帯型オーディオプレーヤのイジェクト釦の断面図である。
【図１８】図１に示す携帯型オーディオプレーヤのシャッタを開けて記録媒体を取り出し可能とした状態を示す説明図である。
【図１９】図１に示す携帯型オーディオプレーヤのシャッタを閉じた状態を示す説明図である。
【符号の説明】
１…携帯型オーディオプレーヤ（電子機器）、  ２…基板アセンブリ、  ４…ケーシング、  ５…第１の操作部、  ６…第２の操作部、  １１…シャーシ、  １２…配線基板、  １５…下部ケース、  １６…上部ケース、  ３５…操作ツマミ、  ３６…回動部材、  ３７…捩りコイルバネ、  ３８…クリック感発生機構、  ４０…第１の検出スイッチ、  ４１…第２の検出スイッチ、  ４２…位置検出スイッチ、  ４５…操作釦、  ４６…操作軸、  ４７…電源スイッチ
【図１】
2004241091.tif 000003
【図２】
2004241091.tif 000004
【図３】
2004241091.tif 000005
【図４】
2004241091.tif 000006
【図５】
2004241091.tif 000007
【図６】
2004241091.tif 000008
【図７】
2004241091.tif 000009
【図８】
2004241091.tif 000010
【図９】
2004241091.tif 000011
【図１０】
2004241091.tif 000012
【図１１】
2004241091.tif 000013
【図１２】
2004241091.tif 000014
【図１３】
2004241091.tif 000015
【図１４】
2004241091.tif 000016
【図１５】
2004241091.tif 000017
【図１６】
2004241091.tif 000018
【図１７】
2004241091.tif 000019
【図１８】
2004241091.tif 000020
【図１９】
2004241091.tif 000021